(57)【要約】【課題】現在の階層位置を明確にし、視認性（直感性）を配慮した表示とすることにより、メニュー項目の選択操作を短時間で容易に行なうことができるようにしたものである。【解決手段】選択されたメニュー項目に対応する表示画面の階層の下にいくつの階層があるかを示す表示を行う画面入力装置において、直線を使用する遠近法で形成された枠体によって３次元の仮想階層空間を形成するとともに、その仮想階層空間の手前から奥方向に行くに従ってメニュー画面の階層が順次深くなるように形成する画面制御部を備えたものである。【選択図】　　　　図２
2004070829.tif 000002
【特許請求の範囲】
【請求項１】
メニュー画面に表示されたメニュー項目を選択したとき、その選択されたメニュー項目に対応する画面を表示するとともに表示されている画面の階層の下にいくつの階層があるかを示す表示を行う画面制御部を備えた画面入力装置において、前記画面制御部は、直線を使用する遠近法で形成された枠体によって３次元の仮想階層空間を形成するとともに、その仮想階層空間の手前から奥方向に行くに従ってメニュー画面の階層が順次深くなるように形成することを特徴とする画面入力装置。
【請求項２】
メニュー画面に表示されたメニュー項目を選択したとき、該選択されたメニュー項目を拡大した後、該選択されたメニュー項目に対応する画面表示に切り替わるとともに、画面周縁部に該選択されたメニュー項目を表示することを特徴とする請求項１記載の画面入力装置。
【請求項３】
３次元の仮想階層空間は、現在表示されている空間に複数のメニュー項目が配置表示され、その表示された複数のメニュー項目のうちの何れかのメニュー項目を選択すると、その選択されたメニュー項目に対応する画面が表示されるとともに、前記選択したメニュー項目以外のメニュー項目は非表示状態とすることを特徴とする請求項１記載の画面入力装置。
【発明の詳細な説明】
【０００１】
【発明の属する技術分野】
この発明は、例えば液晶モニタ等のディスプレイに表示されたメニュー画面よりメニュー項目を選択し、その選択されたメニュー項目に対応する画面を上記ディスプレイに表示する画面入力装置に関するものである。
【０００２】
【従来の技術】
従来、この種の画面入力装置としては、階層構造を持ったメインメニュー画面に表示された複数の用途メニューの中より所望の用途メニューに関する選択を行なう場合、特開２００１−３５９００９公報に開示されたプルダウンメニューが使われている。この手法は図１１に示すように、選択肢が複数存在した場合、まず、最上階層９１の選択肢ＡからＤの中より選択肢Ａを選択すると、最上階層９１の選択肢ＡからＤの表示を残したまま、次階層９２の複数の選択肢Ａ−１からＡ−５が縦方向にディスプレイ上に列挙して表示され、ユーザがその中から選択肢Ａ−２を選択すると、そこまでの表示を残したまま次階層９３つまり最下層の複数の選択肢Ａ−２１からＡ−２４が縦方向にディスプレイ上に列挙して表示されるもので、この表示された選択肢を上からシーケンシャルに見て選択を行なう方式である。
【０００３】
また、図１２に示すように、メニューの階層構造をページをめくるように表現するページ切り換え方式がある。この手法は図１２（ａ）に示すメインメニュー画面１０１からメニュー項目Ａを選択すると、図１２（ｂ）に示すメニュー項目Ａの第１段階層のメニュー項目選択画面１０２となり、この第１段階層画面中に配置された複数のメニュー項目よりメニュー項目Ａ−２を選択すると、図１２（ｃ）に示す第２段階層のメニュー項目選択画面１０３つまり最下層画面となり、その最階層中に配置された複数のメニュー項目が表示されるようになっている。
【０００４】
【発明が解決しようとする課題】
従来の画面入力装置は以上のように構成されているので、プルダウンメニューは現状の階層位置がわかりやすい反面、何階層分ものメニュー項目を同時に表示するため、１つのメニュー項目の表示面積を大きくすることができず、文字が小さくなり、表示の読み取りに時間がかかる。また、メニュー項目が連続列挙されているので、どこを見ればよいのかわかりにくいため、視認性が悪く、メニュー項目選択に時間がかかる。
【０００５】
自動車を運転中にオーディオなどを操作するとき、車両前方から視線をはずす時間は短いほど好ましい。そのためには、視認性の良さは重要な性能である。
【０００６】
また、ページ切り換え方式は、瞬間的にみる情報量は少なく、メニュー選択はしやすく、かつ、段階的に処理を行なうので、１回の操作にかかる時間は短くなるが、現在どの階層を選択しているかの把握しにくく、階層間での行き来がしにくいという課題があった。
【０００７】
この発明は上記のような課題を解消するためになされたもので、現在の階層位置を直感的に把握できる表示とし、さらにメニュー項目の表示面積を確保することにより、メニュー項目の選択操作を短時間で容易に行なうことができる画面入力装置を提供することを目的とする。
【０００８】
【課題を解決するための手段】
この発明に係る画面入力装置は、メニュー画面に表示されたメニュー項目を選択したとき、その選択されたメニュー項目に対応する画面を表示するとともに表示されている画面の階層の下にいくつの階層があるかを示す表示を行う画面制御部を備えた画面入力装置において、前記画面制御部は、直線を使用する遠近法で形成された枠体によって３次元の仮想階層空間を形成するとともに、その仮想階層空間の手前から奥方向に行くに従ってメニュー画面の階層が順次深くなるように形成するものである。
【０００９】
この発明に係る画面入力装置は、メニュー画面に表示されたメニュー項目を選択したとき、該選択されたメニュー項目を拡大した後、該選択されたメニュー項目に対応する画面表示に切り替わるとともに、画面周縁部に該選択されたメニュー項目を表示するものである。
【００１０】
この発明に係る画面入力装置における３次元の仮想階層空間は、現在表示されている空間に複数のメニュー項目が配置表示され、その表示された複数のメニュー項目のうちの何れかのメニュー項目を選択すると、その選択されたメニュー項目に対応する画面が表示されるとともに、前記選択されたメニュー項目以外のメニュー項目は非表示状態とするものである。
【００１１】
【発明の実施の形態】
以下、この発明の実施の一形態を説明する。
実施の形態１．
図１は、この発明の実施の形態１による画面入力装置の構成を示すブロック図であり、１は表示パネル２にメニュー画像を表示する表示駆動部であり、外部の操作手段３から通信インタフェース４を介して指示データを入力するＣＰＵ等のメイン制御部５、このメイン制御部５が読み取る画像データを記憶しているメモリ６、メイン制御部５から出力された画像データを表示パネル２に出力表示する表示制御部７とを備えている。表示パネルとしては、例えば、液晶表示、プラズマ表示、有機ＥＬ表示などがある。
【００１２】
次に動作について説明する。
図２は実施の形態１の動作を示すメニュー画面の表示状態図である。まず、操作手段３によって通信インタフェース４を介してメイン制御部５に起動信号を与えると、メイン制御部５はメモリ６より読み出したメインメニュー画像データを表示制御部７へ出力し、この表示制御部７によって図２（ａ）に示すように、表示パネル２にメインメニュー画面を表示する。実際にはメモリ６には画像の個々の部品のデータが入っており、読み出して、所定の座標に配置することで画面を作っている。このメインメニュー画面には夫々異なる階層からなる複数のメニュー項目として、エアコン１１、オーディオ１２、ナビゲーション（以下、ナビと略称する）１３、車両情報１４と該メニュー項目の中で最大階層数を有するナビ１３の階層数を表す枠体１３ａ〜１３ｃが表示される。
幅のある直線をつないで四角形の額縁のような枠体とし、階層の数だけの枠体を画面上に配置する。このとき、枠体を手前から奥行き方向に並べて配置し、一点透視法（遠近法の一種）を用いて、画面中央を消失点として表現すると、図のようになる。枠体の高さが同一であることをわかりやすく示すため、枠体の角同士を線でつなぐ。このとき、遠近感を出すため、遠く（奥方向）が細くなることを細長い三角形で表現する。以上のように表現することで、枠体を奥行き方向に並べた３次元の仮想空間を作る。
また、メニュー項目を選択したとき、枠体を拡大してから枠体の個数を減らすことにより、一つ奥の枠体が手前に移動したように表示し、一つ深い階層に入って行くことと、一つ奥の枠体に移動することを対応付けて、奥行き方向と階層の深さを関連づける。このようにして、表示されている枠体の個数から、階層の深さを感覚的に認識することができるようになる。
【００１３】
このメインメニュー画面において、メニュー項目としてエアコン１１を選択すると、この選択されたエアコン１１の選択信号が操作手段３から通信インタフェース４を介してメイン制御部５に伝達される。メイン制御部５は伝達されたメニュー項目に対応する画面の画像データをメモリ６より読み出し、この表示制御部７を介して図２（ｂ）に示すように表示パネル２に表示する。選択されたエアコン１１のメニュー項目を画面中央上方に配置し、エアコンの画面であることをわかりやすくするとともに、この表示されたエアコン１１のメニュー画面には複数のメニュー項目として、温度設定１１−１ａ、外気温表示１１−１ｂ、噴出口１１−１ｃと該表示メニュー画面の下に何階層のメニュー画面があるかを示す枠体１１ａ、１１ｂが表示される。この場合は、下に２階層あることがわかる。最も手前の枠体が消え、手前から２番目の枠体が最も手前に来ることにより、奥行き方向に一つ進み、それが階層の一つ深いところに入ったことと対応して表示される。
【００１４】
次いで、図２（ｂ）の表示状態において、メニュー項目として温度設定１１−１ａを選択すると、この選択された温度設定１１−１ａの選択信号が操作手段３から通信インタフェース４を介してメイン制御部５に伝達される。メイン制御部５は伝達されたメニュー項目に対応する画面の画像データをメモリ６より読み出し、表示制御部７を介して図２（ｃ）に示すように表示パネル２に表示する。この表示された温度設定１１−１ａのメニュー画面には、メニュー項目として左調節１１−２ａ、右調節１１−２ｂと下に何階層あるかを示す枠体１１ｂが表示される。この場合は枠体は一つであり、下に１階層あることがわかる。
【００１５】
この図２（ｃ）の表示状態において、メニュー項目として右調節１１−２ｂを選択すると、この選択された右調節１１−２ｂの選択信号が操作手段３から通信インタフェース４を介してメイン制御部５に伝達される。メイン制御部５は伝達された右調節１１−２ｂの画面の画面データをメモリ６より読み出し、表示制御部７を介して図２（ｄ）に示すように表示パネル２に表示する。この表示された右調節１１−２ｂのメニュー画面には、温度調節用のアップボタン１５Ｕ、ダウンボタン１５Ｄ、例えば設定温度を表示する数字１６あるいは棒グラフ１７が表示される。この図２（ｄ）における右調節１１−２ｂのメニュー画面では、下に何階層あるかを示す枠体が表示されていないので、ユーザはこのメニュー画面が最下位層であることを容易に認識することができる。
【００１６】
実施の形態２．
図３は実施の形態２におけるメニュー画面の変化を示す図であり、メインメニュー画面は実施の形態１における図２（ａ）と同じである。このメインメニュー画面において、メニュー項目として車両情報１４を選択した場合の表示画面の変化を示したもので、選択された車両情報１４の選択信号が操作手段３から通信インタフェース４を介してメイン制御部５に伝達される。メイン制御部５は伝達されたメニュー項目に対応する画面の画像データをメモリ６より読み出し、この表示制御部７を介して図３（ｂ）に示すように表示パネル２に表示する。この表示された車両情報１４のメニュー画面には複数のメニュー項目として、Ａ１４−１ａ、Ｂ１４−１ｂ、Ｃ１４−１ｃと下に何階層あるかを示す枠体１４ａが表示される。
【００１７】
次いで、図３（ｂ）の表示状態において、メニュー項目としてＡ１４−１ａを選択すると、この選択されたＡ１４−１ａの選択信号が操作手段３から通信インタフェース４を介してメイン制御部５に伝達される。メイン制御部５は伝達されたメニュー項目に対応する画面の画像データをメモリ６より読み出し、表示制御部７を介して図３（ｃ）に示すように表示パネル２に表示する。この表示されたＡ１４−１ａの画面には、車両速度、燃料の残量等が表示されるが、下に何階層のメニュー画面があるかを示す枠体が表示されていないので、ユーザはこの画面が最下位層であることを容易に認識することができる。
【００１８】
以上のようにこの実施の形態１、２によれば、メインメニュー画面において、所望用途のメニュー項目を選択すると、その選択されたメニュー項目のメニュー画面に下に何階層の画面があるかを示す枠体が表示されるため、ユーザは選択されたメニュー項目の操作を安定して確実に行なうことができる。
直線を用いた枠体を画面上に表示する時、頂点の座標を指示し、直線で囲まれた領域を所定の色で塗りつぶすという作業で可能であるため、メモリ中に画像データを持たなくて済む。
【００１９】
この実施の形態２によれば、車両情報の階層数は１であり、前記図２に示したエアコンの階層数は２である。このように、メニュー項目はすべてが同じ階層数の必要はなく、その表示すべき内容に応じて、階層数は任意に設定する。
【００２０】
実施の形態３．
図４は、この発明の実施の形態３による画面入力装置の構成を示すブロック図であり、４１は表示パネル４２にメニュー画像を表示する表示駆動部であり、外部の操作手段４３から通信インタフェース４４を介して指示データを入力するＣＰＵ等のメイン制御部４５、このメイン制御部４５が読み取る画像データを記憶しているメモリ４６、メイン制御部４５から出力された画像データを表示パネル４２に出力表示する表示制御部４７とを備えている。
【００２１】
図５はメイン制御部４５とメモリ４６との構成を示したブロック図であり、メイン制御部４５は画面制御部５１、直線演算部５２、メニュー項目演算部５３と画面制御部５１により制御され、直線演算部５２、メニュー項目演算部５３からのデータに基づき形成された表示画面を記憶するメモリ５６により構成されている。一方、メモリ４６はメニュー項目演算部５３が読み出し書き込む画像データを記憶したメモリ５５を有する。なお、図示はしていないが、画面制御部５１、直線演算部５２、メニュー項目演算部５３を動作させる制御プログラムを記憶したメモリを備えている。
【００２２】
次に動作について説明する。
図６、図７はこの実施の形態３におけるメニュー画面の変化状態を示す図である。まず、操作手段４３によって通信インタフェース４４を介してメイン制御部４５に起動信号を与えると、メイン制御部４５はメモリ４６より読み出したメインメニュー画像データを表示制御部４７へ出力し、この表示制御部４７によって図６（ａ）に示すように、表示パネル４２にメインメニュー画面を表示する。このメインメニュー画面には夫々異なる階層からなる複数のメニュー項目として、エアコン１１、オーディオ１２、ナビゲーション（以下、ナビと略称する）１３、車両情報１４と該メニュー項目の中で最大階層数を有するナビ１３の階層数を表す枠体１３ａ〜１３ｃが表示される。表示画面の中心位置の座標を（Ｘ０，Ｙ０）とする。
【００２３】
このメインメニュー画面において、メニュー項目としてエアコン１１を選択すると、この選択されたエアコン１１の選択信号が操作手段４３から通信インタフェース４４を介してメイン制御部４５に伝達される。メイン制御部４５は伝達されたメニュー項目の画像データをメモリ４６より読み出し、図６（ｂ）に示すように、エアコンのメニュー項目１１が拡大するとともに枠体１３ａ〜１３ｃを移動させ、表示画面の中心位置（Ｘ０，Ｙ０）にエアコンのメニュー項目１１の中心が一致したとき、図６（ｃ）に示すように、選択されたエアコン１１のメニュー画面を表示する。この表示されたエアコン１１のメニュー画面には複数のメニュー項目として、温度設定１１−１ａ、外気温表示１１−１ｂ、噴出口１１−１ｃと下に何階層の画面があるかを示す枠体１１ａ、１１ｂが表示される。
【００２４】
次いで、図６（ｃ）の表示状態において、メニュー項目として温度設定１１−１ａを選択すると、この選択された温度設定１１−１ａの選択信号が操作手段４３から通信インタフェース４４を介してメイン制御部５に伝達される。メイン制御部５は、選択されたメニュー項目温度設定１１−１ａの画像パターンを、初期位置（Ｘ１，Ｙ１）から画面中央（Ｘ０，Ｙ０）の方向へ、図６（ｄ）に示すように拡大すると共に移動させる。このとき、枠体１１ａ，１１ｂも同時に拡大・移動させる。
【００２５】
表示画面の中心位置（Ｘ０，Ｙ０）に温度設定のメニュー項目１１−１ａの中心が一致したとき、図７（ｅ）に示す温度設定のメニュー画面に切り替わる。この表示された温度設定１１−１ａのメニュー画面には、メニュー項目として左調節１１−２ａ、右調節１１−２ｂと、この画面の下に何階層の画面があるかを示す枠体１１ｂが表示される。
【００２６】
なお、上記の図６（ｂ），（ｄ）に示すように、表示画面が変化しているときには、エアコンのメニュー項目１１、温度設定のメニュー項目１１−１ａを選択したことを強調するために、エアコンのメニュー項目１１、温度設定のメニュー１１−１ａ以外のメニュー項目を非表示にする。
【００２７】
この図７（ｅ）の表示状態において、メニュー項目として右調節１１−２ｂを選択すると、この選択された右調節１１−２ｂの選択信号が操作手段４３から通信インタフェース４４を介してメイン制御部５に伝達される。メイン制御部５は、選択されたメニュー項目右調節１１−２ｂの画像パターンを、初期位置（Ｘ２，Ｙ２）から画面中央（Ｘ０，Ｙ０）の方向へ、図７（ｆ）に示すように拡大すると共に移動させる。このとき、枠体１１ｂも同時に拡大・移動させる。
【００２８】
表示画面の中心位置（Ｘ０，Ｙ０）に右調節１１−２ａのメニュー項目１１−２ｂの中心が一致したとき、図７（ｇ）に示す右調節１１−２ａのメニュー画面に切り替わる。この表示された右調節１１−２ｂのメニュー画面には、温度調節用のアップボタン１５Ｕ、ダウンボタン１５Ｄ、例えば設定温度を表示する数字１６あるいは棒グラフ１７が表示される。この図７（ｇ）における右調節１１−２ｂのメニュー画面では、下に何階層あるかを示す枠体が表示されていないので、ユーザはこのメニュー画面が最下位層であることを容易に認識することができる。
【００２９】
次に画面変更時における用途メニューの移動動作を図８のフローチャートについて説明する。この場合、Ｘ軸，Ｙ軸に対する加算値の＋・−は図９に示す図を基準とする。いま、操作手段４３によって通信インタフェース４４を介してメイン制御部４５に起動信号を与え、表示パネル４２に図６に示したメインメニュー画面を表示する。この表示されたメインメニュー画面より例えばエアコンのメニュー項目１１を選択した後（ステップＳＴ１）、エアコンメニュー項目を画面中央の位置まで移動させる移動距離を算出し、この移動距離と後述する１回の移動距離Δｄに応じて繰り返し数Ｎを算出する（ステップＳＴ２）。
【００３０】
直線演算部５２では図１０の符号６１：現メニュー項目の中央位置（Ｘ１，Ｙ１）と符号６２：画面中央位置（Ｘ０．Ｙ０）を使って以下に示すように、繰り返し数Ｎを算出する。図１０の符号６３のように移動方向は符号６１から符号６２に向かう方向であり、移動距離：ｄは符号６１から符号６２までの長さに対応する。移動距離：ｄは単純な三角法から求める。すなわち、ｄ＝ｓｑｒｔ（（Ｘ１−Ｘ０）＊（Ｘ１−Ｘ０）＋（Ｙ１−Ｙ０）＊（Ｙ１−Ｙ０））で計算できる。
【００３１】
１回の移動距離Δｄは別に設けられた不図示の数値設定画面でユーザが指定できるようにしておくことで、ユーザの好みに合わせた表示スピード調整が可能となる。１回の移動距離と移動距離により表示する繰り返し数：Ｎを、Ｎ＝ｄ／Δｄで算出する。Δｄが大きいほど繰り返し数が減ることになる。メニュー項目は符号６３上を拡大（拡大率：Ｓ）しながら移動を行なう。符号６３上をＮ回のステップで表示を行う。
【００３２】
今回は現在のステップ数を示すカウンタをＩで表現する。すなわちＩは１からＮまで変化することになる。拡大率：Ｓは画面レイアウトを決める際、システム設計者が設定する。例えば、Ｓ＝２．０とすると、移動を完了したときに移動前の２倍の大きさでメニュー表示することとなる。
【００３３】
拡大率：Ｓを次の式のように変化させる。Ｉ番目の拡大率：ＳＩ＝１＋（Ｓ−１）＊Ｉ／Ｎとなる。また、メニュー項目の中央位置のＩ番目の座標位置（ＸＩ，ＹＩ）は、それぞれ
ＸＩ＝Ｘ１＋（Ｘ０−Ｘ１）＊Ｉ／Ｎ，ＹＩ＝Ｙ１＋（Ｙ０−Ｙ１）＊Ｉ／Ｎとなる。全体の動きとして、視点が選択されたメニュー項目に近づいて行った時に起きる動きを作り出す。
【００３４】
変更前のメニュー画面全体が拡大されるように表示するため、枠体と選択されなかったメニュー項目も拡大・移動する。拡大率は選択されたメニュー項目と同じで移動は、選択されたメニュー項目の移動距離に拡大率をかけた距離だけ移動する様に行なう。また、選択されなかったメニュー項目を非表示にする方法として、一度に非表示にしてしまう方法と、徐々に透過率を高くして消えて行く方法とがある。
【００３５】
透過率はメニュー下の背景の透ける割合を示した値であり、０〜１の間で表現する。０は全く透けない。すなわち、メニューのみが表示されている状態であり、１は透明となり、メニューは透明となってしまい、背景のみが表示されることになる。透過率αはＩ番目の透過率：αＩ＝Ｉ／Ｎの式で徐々に１になる。
【００３６】
次いで、画像メモリの画面をクリア（例えば、ビットをすべて立てることにより真っ白な状態とする）し（ステップＳＴ４）、このクリアされた画面上に現在の繰り返し数より座標を求め、直線演算部５２が演算した直線座標データにより直線を描く（ステップＳＴ５）。
【００３７】
次いで、メニュー項目演算部５３はこの描かれた直線上にメモリ５５から読み出した画像データを表示する（ステップＳＴ６）。このとき、繰り返し数に応じてメニュー項目の拡大率を調整する。一方、選択されなかったメニュー項目は、繰り返し数に応じて、透過率（透明度）を上げていくことにより徐々に非表示とする。（ステップＳＴ６）
【００３８】
Ｎ回繰り返したかを判断し（ステップＳＴ７）、ＮＯであれば、繰り返し点ステップＳＴ３に戻り、上記ＳＴ３〜ＳＴ７を繰り返し、上記ＳＴ７における判断がＹＥＳになると、メニュー画面移動を行い、選択されたメニュー画面を表示する（ステップＳＴ８）。次いで、この表示されたメニュー画面が最下階層であるかを画面中に何階層の画面があるかを示す枠体があるか否かにより判断し（ステップＳＴ９）、ＮＯであれば、ステップＳＴ１に戻り、新しく表示したメニュー画面での選択待ちになり、ＹＥＳであれば、メニュー選択を終了する。
【００３９】
以上のように実施の形態３によれば、メニュー画面の切り換え時、３次元空間の演出を行なうので、画面表示の変換時の臨場感を強めることができる。また、３次元空間の演出を２次元平面上に遠近法を用いて直線を引くことにより実現することにより、高価なグラフィックスエンジンを搭載することなく、安価に構成で３次元空間の演出を行なうことができる。
【００４０】
【発明の効果】
以上のように、この発明によれば、画面制御部は、直線を使用する遠近法で形成された枠体によって３次元の仮想階層空間を形成するとともに、その仮想階層空間の手前から奥方向に行くに従ってメニュー画面の階層が順次深くなるように形成するように構成したので、直線は太さの異なる縦横の２次元平面で処理され、斜めの直線は２次元に塗りつぶされた３角形で表現される。その結果、厳密な３次元の座標計算や、それを２次元に投影するための変換計算を行なうことなく、２次元だけの処理でよく、高価なグラフィックスエンジンを搭載することなく、安価に構成することができるという効果がある。
【００４１】
この発明によれば、メニュー画面に表示されたメニュー項目を選択したとき、該選択されたメニュー項目を拡大した後、該選択されたメニュー項目に対応する画面表示に切り替わるとともに、画面周縁部に該選択されたメニュー項目を表示するように構成したので、選択されたメニュー項目が大きくなることにより、どのメニュー項目が選択されたかを確認しやすいことと、その後、画面周囲のどこかに残ることで、現在表示されている画面がどのメニュー画面であるかを容易に把握することができるという効果がある。
【００４２】
この発明によれば、３次元の仮想階層空間は、現在表示されている空間に複数のメニュー項目が配置表示され、その表示された複数のメニュー項目のうちの何れかのメニュー項目を選択すると、その選択されたメニュー項目に対応するの画面が表示されるとともに、前記選択したメニュー項目以外のメニュー項目は非表示状態とするように構成し、現在の画面の下に何階層あるかを表示したので、現在の階層の把握が容易であり、メニュー選択操作が容易であるという効果がある。
【図面の簡単な説明】
【図１】この発明の実施の形態１による画像入力装置の構成を示すブロック図である。
【図２】この発明の実施の形態１の動作を示すメニュー画面の表示状態図である。
【図３】この発明の実施の形態２の動作を示すメニュー画面の表示状態図である。
【図４】この発明の実施の形態３による画像入力装置の構成を示すブロック図である。
【図５】メイン制御部とメモリの関係を示すブロック図である。
【図６】この発明の実施の形態３の動作を示すメニュー画面の表示状態図である。
【図７】この発明の実施の形態３の動作を示すメニュー画面の表示状態図である。
【図８】この発明の実施の形態３におけるメニュー画面の表示状態変化動作を説明するフローチャート図である。
【図９】Ｘ軸，Ｙ軸に対する加算値の＋・−を示す図である。
【図１０】表示の移動を説明する図である。
【図１１】従来のメニュー画面の表示状態図である。
【図１２】従来のメニュー画面の表示状態図である。
【符号の説明】
１、４１　表示駆動部
２、４２　表示パネル
３、４３　操作手段
４、４４　通信インタフェース
５、４５　メイン制御部
６、４６　メモリ
７、４７　表示制御部
１１〜１４、１１−１ａ〜１１−１ｃ、１１−２ａ、１１−２ｂ　メニュー項目
１１ａ、１１ｂ、１３ａ〜１３ｃ　下に何階層あるかを示す枠体
５１　画面制御部
５２　直線演算部
５３　メニュー項目演算部
５５　画像データを格納したメモリ
５６　作り上げた表示画像データを格納した画像メモリ
【図１】
2004070829.tif 000003
【図２】
2004070829.tif 000004
【図３】
2004070829.tif 000005
【図４】
2004070829.tif 000006
【図５】
2004070829.tif 000007
【図６】
2004070829.tif 000008
【図７】
2004070829.tif 000009
【図８】
2004070829.tif 000010
【図９】
2004070829.tif 000011
【図１０】
2004070829.tif 000012
【図１１】
2004070829.tif 000013
【図１２】
2004070829.tif 000014